(57)【要約】【課題】住居侵入しようとする者に侵入自体を諦めさせる。【解決手段】窓ガラスＧに固着手段３の貼り付け、そのガラス接着面３ａに形成された警戒標識４を、窓ガラスＧの外側から透視可能にすることにより、窓用警報装置が配備されていることを住居侵入者に知らせて注意させることが可能となる。【選択図】      図１
2004341903.tif 000002
【特許請求の範囲】
【請求項１】
張架した線（１）の張力が変化することにより、警報発生手段（２）を作動させて警報音が鳴る窓用警報装置において、
前記線（１）に少なくとも窓ガラス（Ｇ）と接着可能な固着手段（３）を取り付け、この固着手段（３）のガラス接着面（３ａ）には、窓ガラス（Ｇ）の外側から透視可能な警戒標識（４）を形成したことを特徴とする窓用警報装置。
【請求項２】
前記固着手段（３）が、少なくとも窓ガラス（Ｇ）や室内の壁面（Ｂ）に対して着脱自在な吸盤であり、その吸着面に相当するガラス接着面（３ａ）に形成された警戒標識（４）として目立つ色を着色した請求項１記載の窓用警報装置。
【請求項３】
前記警報発生手段（２）が防水処理されたゼンマイ式ベルである請求項１または２記載の窓用警報装置。
【発明の詳細な説明】
【０００１】
【発明の属する技術分野】
本発明は、窓の防犯に使用される窓用警報装置、特に風呂場などの湿度が高い場所でも使用可能なものに関する。
更に詳しくは、張架した線の張力が変化することにより、警報発生手段を作動させて警報音が鳴る窓用警報装置に関する。
【０００２】
【従来の技術】
従来、この種の窓用警報装置として、警報発生器と警報スイッチと乾電池と復帰発条とよりなる警報発生部に、警報スイッチに先端が接触しているテンションワイヤーを設け、侵入者がある等によって上記ワイヤーに負荷がかかると、ワイヤーの先端が警報スイッチより離れ、警報音が発生し、ワイヤーへの負荷が除かれると、ワイヤーの先端は復帰発条により警報スイッチに接触し、警報音が停止するものがある（例えば、特許文献１参照）。
【０００３】
【特許文献１】
特開２０００−１３２７５４号公報（第３頁、図１）
【０００４】
【発明が解決しようとする課題】
しかし乍ら、このような従来の窓用警報装置では、警報音によって住居侵入者の存在を居住者に知らせる機能はあるものの、住居侵入しようとする者に侵入自体を諦めさせる機能は無いため、あいにく居住者が留守などで警報音を聞いて対処できない場合には、十分な防犯効果が得られない恐れがあるという問題がある。
【０００５】
本発明のうち請求項１記載の発明は、住居侵入しようとする者に侵入自体を諦めさせることを目的としたものである。
請求項２記載の発明は、請求項１に記載の発明の目的に加えて、固着手段３及び警戒標識４の構造を簡素化して製造コストの低減化を図ることを目的としたものである。
請求項３記載の発明は、請求項１または２に記載の発明の目的に加えて、悪条件のために窓用警報装置が配備できなかった風呂場のような窓にも使用可能にすることを目的としたものである。
【０００６】
【課題を解決するための手段】
前述した目的を達成するために、本発明のうち請求項１記載の発明は、線に少なくとも窓ガラスと接着可能な固着手段を取り付け、この固着手段のガラス接着面には、窓ガラスの外側から透視可能な警戒標識を形成したことを特徴とするものである。
請求項２記載の発明は、請求項１記載の発明の構成に、前記固着手段が、少なくとも窓ガラスや室内の壁面に対して着脱自在な吸盤であり、その吸着面に相当するガラス接着面に形成された警戒標識として目立つ色を着色した構成を加えたことを特徴とする。
請求項３記載の発明は、請求項１または２記載の発明の構成に、前記警報発生手段が防水処理されたゼンマイ式ベルである構成を加えたことを特徴とする。
【０００７】
【作用】
請求項１の発明の作用は、窓ガラスに固着手段の貼り付け、そのガラス接着面に形成された警戒標識を、窓ガラスの外側から透視可能にすることにより、窓用警報装置が配備されていることを住居侵入者に知らせて注意させることが可能となるものである。
請求項２の発明の作用は、請求項１記載の発明の作用に加えて、固着手段として吸盤を用い、そのガラス接着面に警戒標識として目立つ色を着色することにより、これら固着手段及び警戒標識の構造が簡単であるにも拘わらず、住居侵入者に窓用警報装置の配備を十分に解らせて侵入自体を諦めるように促すことが可能となる。
請求項３の発明の作用は、請求項１または２記載の発明の作用に加えて、警報発生手段として防水処理されたゼンマイ式ベルを用いることにより、配備場所が高湿度であっても長期に亘り故障せず、しかも電源が無い場所でも警報音を鳴らせることが可能となる。
【０００８】
【発明の実施の形態】
以下、本発明の実施例を図面に基づいて説明する。
この実施例は、図１及び図２に示す如く、窓用警報装置Ａを風呂場の窓に配備したものであり、その窓構造として代表的な引き違い窓Ｗ１に配備した場合を図１（ａ）に示し、滑り出し窓（辷り出し窓）Ｗ２に配備した場合を図１（ｂ）に示している。
【０００９】
上記窓用警報装置Ａは、その本体Ａ１の一端側に紐やその他の材料からなるワイヤなどの線１を接続すると共に、本体Ａ１の他端側にも線１′を連結し、これら線１，１′を窓ガラスＧの内側に沿って張架することにより、本体Ａ１が脱落不能に吊持される。
上記線１，１′として、少し伸縮性のある例えばシリコンやゴムなどの弾性体からなる紐を使うことが好ましい。
【００１０】
上記窓用警報装置Ａの本体Ａ１の内部には、張架した線１の張力変化により作動する警報発生手段２が備えられる。
この警報発生手段２は、本実施例の場合、図２に示す如く、防水処理されたゼンマイ式ベルであり、そのスイッチレバー２ａに上記線１の基端を接続して、該線１の張力変化でスイッチレバー２ａを作動させることにより、警報ベルが鳴るように構成される。
【００１１】
図示例の場合には、スイッチレバー２ａに接続された線１を引っ張って歯車２ｂとロックした状態でセットされ、線１の張力が低下して緩むことにより、スイッチレバー２ａと歯車２ｂとのロックがバネ２ｃの弾性力で解除され、それに伴いゼンマイ２ｄを巻き戻して打撃体２ｅにより、本体Ａ１内に収納したベルわん２ｆが打ち鳴らされる構造を示している。
【００１２】
また図２中において符号２ｇは、ゼンマイ２ｄを巻くためのハンドルであり、符号２ｈは本体Ａ１に対して出入り自在な線１と密接する防水パッキンである。
なお、警報発生手段２の構造は、図示例に限定されず、例えば線１の張力低下に加えて線１の張力が上昇した時もロックが解除されて警報ベルが鳴るようにしたり、線１の張力上昇時のみ警報ベルが鳴るようにしても良い。
【００１３】
更に、上記線１，１′の先端には、少なくとも窓ガラスＧや室内の壁面Ｂなどと接着可能な固着手段３，３′が取り付けられる。
これら固着手段３，３′は、本実施例の場合、少なくとも窓ガラスＧや室内の壁面Ｂに対して着脱自在な吸盤であり、その吊り下げフック３ａ，３ａ′に線１，１′の先端を引っ掛けるなど係止させて連結している。
【００１４】
特に固着手段３，３′の吸盤としては、その吸着面を窓ガラスＧや室内の壁面Ｂなどの接着対象物に押し付けた状態で、吊り下げフック３ａ，３ａ′を倒して吸着面と接着対象物との接触容積を拡大させることにより、接着強度が増大して落下し難くしたものを使用することが好ましい。
【００１５】
一方、上記固着手段３，３′のガラス接着面３ａ，３ａ′には、窓ガラスＧの外側から透視可能な警戒標識４，４′が形成される。
これら警戒標識４，４′は、本実施例の場合、吸盤の吸着面に相当するガラス接着面３ａ，３ａ′に形成された警戒標識４，４′として、窓ガラスＧを透過しても目立つ色が着色される。
【００１６】
この目立つ色としては、窓ガラスＧが例えば磨りガラスやくもりガラスなどの半透明なガラスであっても確実に透視可能で、しかも警告色として一般的に使用されている赤色とすることが好ましいが、これに限定されず、赤色以外の色を使用したり、例えば文字や記号などを表示しても良い。
【００１７】
そして、上述した窓用警報装置Ａを図１（ａ）に示す引き違い窓Ｗ１に配備する場合には、隣り合う窓ガラスＧ，Ｇに固着手段３，３′の吸盤を貼り付け、これらに夫々取り付けた線１，１′が窓用警報装置Ａの本体Ａ１を挟んで略一直線状に張架してセットさせる。
この際、固着手段３′の吸盤は、その吊り下げフック３ａ′を斜め下方に向けて線１′が係止されるようにセットすることが好ましい。
【００１８】
また、上述した窓用警報装置Ａを図１（ｂ）に示す滑り出し窓Ｗ２に配備する場合には、警報発生手段２のスイッチレバー２ａに接続される線１に取り付けた固着手段３の吸盤を窓ガラスＧに貼り付けると共に、他方の線１′の固着手段３′の吸盤を、滑り出し窓Ｗ２の周囲内壁面、図示例では滑り出し窓Ｗ２の上側内壁面Ｂに貼り付けて、これら線１，１′が窓用警報装置Ａの本体Ａ１を挟んで略一直線状に張架してセットさせる。
【００１９】
これら図１（ａ）及び図１（ｂ）中において符号Ｋは、窓ガラスＧと窓枠との間に設けた手動により開閉する鍵である。
【００２０】
次に、斯かる窓用警報装置Ａの作用について説明する。
先ず、図１（ａ）に示す引き違い窓Ｗ１の場合には、隣り合う窓ガラスＧ，Ｇに固着手段３，３′の吸盤が貼り付けられ、これらのガラス接着面３ａ，３ａ′に形成した警戒標識４，４′が、窓ガラスＧ，Ｇの外側から透視可能となる。
【００２１】
また、図１（ｂ）に示す滑り出し窓Ｗ２の場合には、窓ガラスＧに固着手段３の吸盤が貼り付けられ、このガラス接着面３ａに形成した警戒標識４が、窓ガラスＧの外側から透視可能となる。
【００２２】
それにより、窓ガラスＧに窓用警報装置Ａが配備されていることを住居侵入者に知らせて注意させることが可能となる。
その結果、住居侵入しようとする者に侵入自体を諦めさせることができる。
【００２３】
更に本実施例の場合には、固着手段３として吸盤を用い、そのガラス接着面３ａに警戒標識４として目立つ色を着色したから、これら固着手段３及び警戒標識４の構造が簡単であるにも拘わらず、住居侵入者に窓用警報装置Ａの配備を十分に解らせて侵入自体を諦めるように促すことが可能となる
その結果、固着手段３及び警戒標識４の構造を簡素化して製造コストの低減化を図れるという利点がある。
【００２４】
そして、このような状況下であっても住居侵入者が窓ガラスＧを割って侵入しようとした際には、それに伴って警報発生手段２のスイッチレバー２ａに接続した線１の張力が低下するため、ロックが解除されて警報ベルが鳴り、住居侵入者の存在を居住者に知らせる。
【００２５】
図１（ａ）に示す引き違い窓Ｗ１の場合において、住居侵入者が隣り合う窓ガラスＧ，Ｇのどちらか一方を空けて侵入しようとした場合には、一方の窓ガラスＧが開くことに伴って、警報発生手段２のスイッチレバー２ａに接続した線１の張力が低下するため、ロックが解除されて警報ベルが鳴り、住居侵入者の存在を居住者に知らせる。
【００２６】
図１（ｂ）に示す滑り出し窓Ｗ２の場合において、住居侵入者が窓ガラスＧを空けて侵入しようとした場合には、窓ガラスＧが開くことに伴って、警報発生手段２のスイッチレバー２ａに接続した線１の張力が上昇するが、このような張力の上昇時にも警報発生手段２のロックが解除されて警報ベルを鳴るようの構造にすれば、住居侵入者の存在を居住者に知らせることができる。
【００２７】
特に本実施例のように、警報発生手段２として防水処理されたゼンマイ式ベルを用いれば、窓用警報装置Ａの配備場所が例えば風呂場のように高湿度であっても長期に亘り故障せず、しかも電源が無い場所でも警報音を鳴らせることが可能となる。
その結果、従来は悪条件のために窓用警報装置Ａが配備できなかった風呂場のような窓にも使用できるという利点がある。
【００２８】
また、上記線１，１′として、少し伸縮性のある例えばシリコンやゴムなどの弾性体からなる紐を使用すれば、セット時において線１，１′を伸ばすことにより微調整が行えて、セット時の作業を簡単にできると共に、小さな地震などの震動では、警報発生手段２のスイッチレバー２ａに接続した線１が伸縮して警報音が鳴らず、誤動作を防止できるという利点がある。
【００２９】
また更に、図１（ａ）に示す引き違い窓Ｗ１の場合において、固着手段３′の吸盤の吊り下げフック３ａ′を斜め下方に向けてセットすれば、警報発生手段２のスイッチレバー２ａに接続した線１の張力低下に伴って、固着手段３の吸盤の吊り下げフック３ａから線１の先端が外れたとしても、一点鎖線で示したように斜め下方に向けた吊り下げフック３ａ′に窓用警報装置Ａの本体Ａ１が吊り下げられて落下せず、落下衝撃による破損を防止できるという利点がある。
【００３０】
尚、前示実施例では、窓用警報装置Ａを風呂場の窓として代表的な引き違い窓Ｗ１と滑り出し窓Ｗ２に配備した場合を示したが、これに限定されず、風呂場以外の窓に配備したり、引き違い窓と滑り出し窓以外の構造の窓に配備しても良く、この場合でも前述した作用効果と同様な作用効果が得られる。
【００３１】
更に、前記警報発生手段２が防水処理されたゼンマイ式ベルであり、窓ガラスＧと接着する固着手段３，３′が吸盤である場合を示したが、これに限定されず、警報発生手段２として例えば電池式ベルなどを使用したり、固着手段３，３′として粘着テープなどを使用しても良い。
【００３２】
【発明の効果】
以上説明したように、本発明のうち請求項１記載の発明は、窓ガラスＧに固着手段３の貼り付け、そのガラス接着面３ａに形成された警戒標識４を、窓ガラスＧの外側から透視可能にすることにより、窓用警報装置が配備されていることを住居侵入者に知らせて注意させることが可能となるので、住居侵入しようとする者に侵入自体を諦めさせることができる。
従って、警報音によって住居侵入者の存在を居住者に知らせる機能しかない従来のものに比べ、あいにく居住者が留守などで警報音を聞くことができない場合でも十分な防犯効果が期待できる。
【００３３】
請求項２の発明は、請求項１の発明の効果に加えて、固着手段３として吸盤を用い、そのガラス接着面３ａに警戒標識４として目立つ色を着色することにより、これら固着手段３及び警戒標識４の構造が簡単であるにも拘わらず、住居侵入者に窓用警報装置の配備を十分に解らせて侵入自体を諦めるように促すことが可能となるので、固着手段３及び警戒標識４の構造を簡素化して製造コストの低減化を図ることができる。
【００３４】
請求項３の発明は、請求項１または２の発明の効果に加えて、警報発生手段２として防水処理されたゼンマイ式ベルを用いることにより、配備場所が高湿度であっても長期に亘り故障せず、しかも電源が無い場所でも警報音を鳴らせることが可能となるので、悪条件のために窓用警報装置が配備できなかった風呂場のような窓にも使用できる。
【図面の簡単な説明】
【図１】本発明の一実施例を示す窓用警報装置の窓の外側から見た正面図であり、（ａ）が引き違い窓の場合を示し、（ｂ）が滑り出し窓の場合を示している。
【図２】窓用警報装置の本体内部を示す部分拡大縦断正面図である。
【符号の説明】
Ｂ  室内の壁面                      Ｇ  窓ガラス
１  線                              ２  警報発生手段
３  固着手段（吸盤）                ３ａ  ガラス接着面
４  警戒標識
【図１】
2004341903.tif 000003
【図２】
2004341903.tif 000004